(57)【特許請求の範囲】
【請求項１】
乗客コンベアの主枠フレーム内に運転に関与する機器を取り付ける乗客コンベアの機器取り付け構造において、
前記機器が、ステップ及びハンドレールを駆動する駆動装置を制御する制御機器から成り、
前記主枠フレームの下側部分を形成する下側部材上に締結具を介して固定されたベース板と、
前記ベース板に溶接部を介して立設固定されてねじの締結によって前記制御機器を支持している複数の固定支柱とが備えられており、
前記主枠フレームの内側部分を形成する内側部材と前記複数の固定支柱との間に隙間が設けられていることを特徴とする乗客コンベアの機器取り付け構造。
【請求項２】
乗客コンベアの主枠フレーム内に運転に関与する機器を取り付ける乗客コンベアの機器取り付け構造において、
前記機器が、ステップ及びハンドレールを駆動する駆動装置を制御する制御機器から成り、
前記主枠フレームの下側部分を形成する下側部材上に固定されたベース板と、
前記ベース板に立設固定されて前記制御機器を支持している固定支柱とが備えられて、
前記主枠フレームの内側部分を形成する内側部材と前記固定支柱との間に隙間が設けられており、
前記駆動装置を保持している駆動装置受け台が備えられて、
前記主枠フレームの前記下側部材と前記駆動装置受け台との間に前記ベース板が配置されており、
前記主枠フレームの前記下側部材と、前記ベース板と、前記駆動装置受け台とを一体に締結する締結具が設けられていることを特徴とする乗客コンベアの機器取り付け構造。
【請求項３】
請求項２に記載の乗客コンベアの機器取り付け構造において、
前記制御機器は、複数の分割部から成り、
前記固定支柱は、前記分割部のそれぞれを個別に支持する複数対の支柱から成り、
前記複数対の支柱と前記主枠フレームの前記内側部材との間に前記隙間が設けられていることを特徴とする乗客コンベアの機器取り付け構造。
【請求項４】
請求項３に記載の乗客コンベアの機器取り付け構造において、
前記複数の分割部は、第１分割部と第２分割部とから成り、
前記複数対の支柱は、前記第１分割部を支持する一対の第１固定支柱と、前記第２分割部を支持する一対の第２固定支柱とから成ることを特徴とする乗客コンベアの機器取り付け構造。
【請求項５】
請求項２〜４のいずれか１項に記載の乗客コンベアの機器取り付け構造において、
前記乗客コンベアはエスカレータから成り、
前記制御機器が配置される部位は、前記主枠フレームの終端部の内部であり、
前記ベース板はボルト穴を有しており、
前記締結具は、前記ベース板の前記ボルト穴に挿入されて前記主枠フレームの前記下側部材と、前記ベース板と、前記駆動装置受け台とを一体に締結するボルトから成ることを特徴とする乗客コンベアの機器取り付け構造。
【発明の詳細な説明】
【技術分野】
【０００１】
本発明は、エスカレータ等の乗客コンベアに備えられ、主枠フレーム内に運転に関与する機器を取り付ける乗客コンベアの機器取り付け構造に関する。
【背景技術】
【０００２】
この種の従来技術として特許文献１に示されるものがある。この従来技術は、エスカレータのトラスすなわち主枠フレームの終端部の内部において、運転に関与する機器例えばステップ及びハンドレールを駆動する駆動装置を取り付けるようにしたものである。この従来技術は、駆動装置のリニューアルを考慮してなされたもので、既設のトラスに取り付けられている駆動装置受け支えを、新設の駆動装置の保持部材として活用している。すなわち、この従来技術は、既設の駆動装置に代えて新設の駆動装置を取り付けるリニューアルに際して、既設の駆動装置を撤去し、既設のトラスに固定されている既設の駆動装置受け支えの上に駆動装置受けベースを新たに設置し、この駆動装置受けベースをボルトによって駆動装置受け支えに締結し、駆動装置受けベースの上に新設の駆動装置を取り付けるように構成したものである。
【先行技術文献】
【特許文献】
【０００３】
【特許文献１】特開２０１０−６５４２号公報
【発明の概要】
【発明が解決しようとする課題】
【０００４】
前述した従来技術は、トラス内において取り付けられる運転に関与する機器が駆動装置からなっているが、本発明は、トラス内すなわち主枠フレーム内に取り付ける運転に関与する対象機器が、駆動装置を制御する制御機器から成っている。例えば、既設の制御機器に代えて新設の制御機器を設ける場合、従来にあっては既設の主枠フレームの内側部分を形成する内部部材にボルト等によって新設の制御機器を固定することが行われている。
【０００５】
しかし、既設の主枠フレームの内部は通常、乗客コンベアの接地環境や建屋の状況に応じて様々な部材によって形成される固有の形状となりやすい。したがって、既設の制御機器に代えて新設の制御機器を取り付ける場合、従来にあっては新しい機器の配置設計が煩雑になりやすく、また、場合によっては主枠フレームに加工を施すことが必要になり、新設の制御機器を取り付ける作業に時間がかかる問題があった。
【０００６】
本発明は、前述した従来技術における実情からなされたもので、その目的は、設置対象機器である制御機器の配置設計が容易になり、また、主枠フレームに加工を施すことなく制御機器を取り付けることができる乗客コンベアの機器取り付け構造を提供することにある。
【課題を解決するための手段】
【０００７】
前記目的を達成するために、本発明に係る乗客コンベアの機器取り付け構造は、乗客コンベアの主枠フレーム内に運転に関与する機器を取り付ける乗客コンベアの機器取り付け構造において、前記機器が、ステップ及びハンドレールを駆動する駆動装置を制御する制御機器から成り、前記主枠フレームの下側部分を形成する下側部材上に締結具を介して固定されたベース板と、前記ベース板に溶接部を介して立設固定されてねじの締結によって前記制御機器を支持している複数の固定支柱とが備えられており、前記主枠フレームの内側部分を形成する内側部材と前記複数の固定支柱との間に隙間が設けられていることを特徴としている。
また、本発明に係る乗客コンベアの機器取り付け構造は、乗客コンベアの主枠フレーム内に運転に関与する機器を取り付ける乗客コンベアの機器取り付け構造において、前記機器が、ステップ及びハンドレールを駆動する駆動装置を制御する制御機器から成り、前記主枠フレームの下側部分を形成する下側部材上に固定されたベース板と、前記ベース板に立設固定されて前記制御機器を支持している固定支柱とが備えられて、前記主枠フレームの内側部分を形成する内側部材と前記固定支柱との間に隙間が設けられており、前記駆動装置を保持している駆動装置受け台が備えられて、前記主枠フレームの前記下側部材と前記駆動装置受け台との間に前記ベース板が配置されており、前記主枠フレームの前記下側部材と、前記ベース板と、前記駆動装置受け台とを一体に締結する締結具が設けられていることを特徴としている。
【発明の効果】
【０００８】
本発明に係る乗客コンベアの機器取り付け構造は、主枠フレームの下側部材に固定されるベース板に立設固定される固定支柱に設置対象機器である制御機器を支持させてあることから、つまり制御機器専用の支持手段を設けたことから、設置対象機器である制御機器の配置設計が固定支柱部分に一義的に決定され、この配置設計が容易になる。また、本発明は、主枠フレームの内側部材と固定支柱の間に隙間を設けるようにしたことから、主枠フレームに加工を施すことなく制御機器を取り付けることができる。これらのことから、設置対象機器である制御機器の取り付け作業を従来に比べて能率良く行うことができる。
【図面の簡単な説明】
【０００９】
【図１】本発明に係る機器取り付け構造の一実施形態が備えられる乗客コンベアの一例として挙げたエスカレータを示す側面図である。
【図２】図１のＡ−Ａ断面拡大図である。
【図３】図２のＢ−Ｂ矢視図である。
【図４】図２のＣ−Ｃ矢視図である。
【図５】図２のＤ−Ｄ矢視図である。
【図６】本実施形態に係る機器取り付け構造に備えられるベース板及び固定支柱を示す斜視図である。
【発明を実施するための形態】
【００１０】
以下、本発明に係る乗客コンベアの機器取り付け構造の実施の形態を図面に基づいて説明する。
【００１１】
本発明に係る機器取り付け構造の一実施形態が備えられる乗客コンベアは、例えばエスカレータであり、このエスカレータは図１に示すように、循環駆動されて乗客を運ぶステップ１と、このステップ１と同期して移動するハンドレール２とを備えている。また、主枠フレーム５の上階床側の終端部の内部には、ステップ１及びハンドレール２を駆動する駆動装置３と、この駆動装置３を制御する本実施形態の運転に関与する設置対象機器である制御機器が配置されている。制御機器は、複数の分割部、例えば第１分割部４ａと第２分割部４ｂとによって構成してある。
【００１２】
本実施形態は、図２〜４に示すように、主枠フレーム５の下側部分を形成する下側部材５ｄ上に固定される例えば鋼板から成るベース板６と、このベース板６に立設固定され、制御機器を支持する後述の固定支柱とを備えている。図５に示す主枠フレーム５の内側部分とを形成する内側部材５ａ，５ｂ，５ｃと後述の固定支柱との間には隙間を設けてある。
【００１３】
また、本実施形態は、図２，３に示すように、駆動装置３を保持する駆動装置受け台８を備え、主枠フレーム５の下側部材５ｄと駆動装置受け台８との間にベース板６を配置してある。
【００１４】
また、主枠フレーム５の下側部材５ｄと、ベース板６と、駆動装置受け台８とを一体に締結する締結具、例えばボルト１３を設けてある。なお、図６に示すように、ベース板６にはボルト１３が挿入されるボルト穴６ａを形成してある。
【００１５】
前述した固定支柱は、それぞれ鋼材から成り、図２，４に示すように、制御機器を構成する第１分割部４ａ、第２分割部４ｂのそれぞれを個別に支持する複数の支柱、例えば第１分割部４ａを支持する一対の第１固定支柱７ａと、第２分割部４ｂを支持する一対の第２固定支柱７ｂとから成っている。
【００１６】
これらの複数対の支柱と、主枠フレーム５の内側部材５ａ，５ｂ，５ｃとの間に前述した隙間を設けてある。すなわち図４に示すように、一対の第１固定支柱７ａと主枠フレーム５の内側部材５ｃとの間には隙間１１を設けてあり、図２に示すように、一対の第２固定支柱７ｂと主枠フレーム５の内側部材５ａ，５ｂとの間には隙間１０を設けてある。
【００１７】
なお、一対の第１固定支柱７ａ及び一対の第２固定支柱７ｂは、溶接によってベース板６に固定されるようになっている。
【００１８】
例えば、既設の制御機器を撤去して本実施形態に備えられる第１分割部４ａ及び第２分割部４ｂから成る制御機器を取り付ける制御機器のリニューアルに際しては、初めに既設のエスカレータに備えられる既設の制御機器を、主枠フレーム５の内側部材から撤去することが行われる。
【００１９】
次に、駆動装置３を保持する駆動装置受け台８と、主枠フレーム５の下側部材５ｄとの間にベース板６を挟み込み、ベース板６のボルト穴６ａに挿入したボルト１３を介して主枠フレーム５の下側部材５ｄと、ベース板６と、駆動装置受け台８とを一体に締結する。
【００２０】
この状態でベース板６の上面に、例えば一対の第１固定支柱７ａと一対の第２固定支柱７ｂとを溶接する。この際に、一対の第１固定支柱７ａと主枠フレーム５の内側部材５ｃとの間に隙間１１を形成するように、一対の第１固定支柱７ａを溶接する。また、一対の第２固定支柱７ｂと主枠フレーム５の内側部材５ａ，５ｂとの間に隙間１０を形成するように、一対の第２固定支柱７ｂを溶接する。図６は、このようにしてベース板６上に一対の第１固定支柱７ａと一対の第２固定支柱７ｂとを溶接した状態を示している。
【００２１】
この状態で図４に示すように、一対の第１固定支柱７ａに制御機器を構成する第１分割部４ａをねじ１４の締結によって固定し、一対の第２固定支柱７ｂに制御機器を構成する第２分割部４ｂをねじ１５の締結によって固定する。これにより、新設の制御機器を構成する第１分割部４ａ及び第２分割部４ｂの取り付け作業が終了する。
【００２２】
このように構成した本実施形態によれば、主枠フレーム５の下側部材５ｄに固定されるベース板６に立設固定される一対の第１固定支柱７ａに制御機器を構成する第１分割部４ａを支持させ、一対の第２固定支柱７ｂに制御機器を構成する第２分割部４ｂを支持させてあることから、設置対象機器である制御機器の配置設計が第１固定支柱７ａ及び第２固定支柱７ｂ部分に一義的に決定され、この配置設計が容易になる。
【００２３】
また、本実施形態は、主枠フレーム５の内側部材５ｃと一対の第１固定支柱７ａの間に隙間１１を設け、主枠フレーム５の内側部材５ａ，５ｂと一対の第２固定支柱７ｂの間に隙間１０を設けるようにしたことから、主枠フレーム５に加工を施すことなく制御機器を構成する第１分割部４ａ及び第２分割部４ｂを取り付けることができる。
【００２４】
これらのことから、設置対象機器である第１分割部４ａ及び第２分割部４ｂを含む新設の制御機器の取り付け作業を能率良く行うことができる。
【００２５】
なお、前述した実施形態は、既設のエスカレータに備えられる制御機器のリニューアルに適用した場合について説明したが、新設の乗客コンベアに本実施形態を適用してもよいことはもちろんである。
【００２６】
また、前述した実施形態は、ベース板６に一対の第１固定支柱７ａ及び一対の第２固定支柱７ｂを溶接することにより立設固定したが、溶接に代えて、ねじを用いた締結により立設固定してもよい。
【００２７】
また、前述した実施形態は、制御機器をリニューアルする既設エスカレータが設けられている現場で、ベース板６に一対の第１固定支柱７ａ及び一対の第２固定支柱７ｂを立設固定するようにしたが、本発明は、このようにすることには限られない。予め、主枠フレーム５の内側部材５ａ，５ｂと、内側部材５ｃの間隔寸法等を計測しておき、工場等の別の場所においてベース板６に、一対の第１固定支柱７ａ及び一対の第２固定支柱７ｂを立設固定し、このように一体化されたベース板６、一対の第１固定支柱７ａ、及び一対の第２固定支柱７ｂを、既設エスカレータが設置されている現場に持ち運んで組み込むようにしてもよい。
【００２８】
このようにベース板６、一対の第１固定支柱７ａ、及び一対の第２固定支柱７ｂを予め一体化したものを組み込む場合には、既設エスカレータの設置環境では溶接を行えない状況にあるときなどに有効である。また、既設エスカレータにおける制御機器のリニューアル作業をより効率良く行うことができる。
【符号の説明】
【００２９】
１    ステップ
２    ハンドレール
３    駆動装置
４ａ  第１分割部（制御機器）
４ｂ  第２分割部（制御機器）
５    主枠フレーム
５ａ  内側部材
５ｂ  内側部材
５ｃ  内側部材
５ｄ  下側部材
６    ベース板
６ａ  ボルト穴
７ａ  第１固定支柱（固定支柱）
７ｂ  第２固定支柱（固定支柱）
８    駆動装置受け台
１０  隙間
１１  隙間
１３  ボルト（締結具）
１４ ねじ
１５ ねじ
【図１】
0005961145.tif 000002
【図２】
0005961145.tif 000003
【図３】
0005961145.tif 000004
【図４】
0005961145.tif 000005
【図５】
0005961145.tif 000006
【図６】
0005961145.tif 000007